(57)【要約】【課題】  シリンダ錠の扉外面における突出量が小さくて見栄えが良く、しかも安全性も向上させることができる新規な装着機構を提供する。【解決手段】  全体の形状がコ字形で、一対の平行板部を連結する部分の中央に、シリンダ錠内端のテールピースと係合するダルマ形のクラッチ孔と、サムターン軸と係合する十字形のサムターン孔１４とを所定の間隔で連設してなるカプラーを形成した作動アームとを有し、上記カプラーをシリンダ錠２の内端とサムターンブロックの間の間隙部に挿入し、一対の平行板部をシリンダ錠２の外筒の母線に沿わせる態様で、錠止機構制御筒１８に係合させる。【選択図】  図１３
2008308888.tif 000002
【特許請求の範囲】
【請求項１】
シリンダ錠の内端とサムターンブロックとの間に所定の間隙を保ち、かつこれらを同軸かつ一体的に連結した錠前ユニットと、全体の形状がコ字形で、一対の平行板部を連結する部分の中央に、シリンダ錠内端のテールピースと係合するダルマ形のクラッチ孔と、サムターン軸と係合する十字形のサムターン孔とを所定の間隔で連設してなるカプラーを形成した作動アームとを有し、上記カプラーをシリンダ錠の内端とサムターンブロックの間の間隙部に挿入し、一対の平行板部をシリンダ錠の外筒の母線に沿わせる態様で、作動アームをシリンダ錠の外筒内端部に、その中心軸線の回りを回動可能に装着し、一方、錠箱内に上記作動アームの先端部と係合する切欠を形成した錠止機構制御筒を、錠箱の側板に垂直な中心軸線回りを回動可能に配設し、他方、シリンダ錠を先にして、扉内面、上記デッドボルト制御筒の内筒部、錠箱及び扉外面を貫通する態様で、錠前ユニットに扉を貫通させると共に錠前ユニットをその軸線方向において拘束し、扉外面に少し突出したシリンダ錠の外端部に化粧リングを装着したことを特徴とするシリンダ錠の装着機構。
【請求項２】
シリンダ錠の内端とサムターンブロックとの間に所定の間隙を保ち、かつこれらを同軸かつ一体的に連結した錠前ユニットと、全体の形状がコ字形で、一対の平行板部を連結する部分の中央に、シリンダ錠内端のテールピースと係合するダルマ形のクラッチ孔を形成したシリンダアームと、全体の形状がコ字形で、上記シリンダアームの平行板部の外側に重合できる間隔を保つ一対の平行板部を有し、これら一対の平行板部を連結する部分の中央に、サムターン軸と係合する十字形のサムターン孔を形成したサムターンアームとを有し、上記クラッチ孔及びサムターン孔を、所定の間隙を保って、シリンダ錠の内端とサムターンブロックの間の間隙部に挿入し、一対の平行板部を相対回動可能に、かつ、シリンダ錠の外筒の母線に沿わせた状態で、これらシリンダアーム及びサムターンアームをシリンダ錠の外筒内端部に、その中心軸線の回りを回動可能に装着し、一方、錠箱内に上記シリンダアームの先端部と係合する切欠を形成したアイドル制御筒を、このアイドル制御筒の外側に、上記サムターンアームの先端部と係合する切欠を形成した錠止機構制御筒を、夫々錠箱の側板に垂直な中心軸線回りを回動可能に配設し、他方、シリンダ錠を先にして、扉内面、上記デッドボルト制御筒の内筒部、錠箱及び扉外面を貫通する態様で、錠前ユニットに扉を貫通させると共に錠前ユニットをその軸線方向において拘束し、扉外面に少し突出したシリンダ錠の外端部に化粧リングを装着したことを特徴とするシリンダ錠の装着機構。
【発明の詳細な説明】
【技術分野】
【０００１】
この発明は、錠箱に対するシリンダ錠の装着機構（以下単に装着機構という）に係り、特に、シリンダ錠の扉外面における突出量が小さくて見栄えが良く、しかも安全性も向上させることができる新規な装着機構に関する。
【背景技術】
【０００２】
シリンダ錠及びサムターンを扉に装着するには、後記特許文献１の図１に示すように、扉１に埋設された錠箱２内に通常ダルマと称される錠止機構３を回動可能に収納し、室内側（上記図１で下側）からサムターンのサムターン軸９を差し入れ、室外側からは、特許文献２の図１において符号１で示すシリンダ錠のテールピース１７を差し入れる。
【０００３】
しかして、上記シリンダ錠は、通常、上記特許文献２において符号２で示すシリンダ筒に収納され、このシリンダ筒２自体は、その基部及び錠箱のフロント板を水平方向に貫通する一対の装着杆１２、１２を介して錠箱に担持される。
【０００４】
なお、サムターンも上記シリンダ筒と同様の構成の筒体を介して扉内面に装着されることがある（後記特許文献３参照）。
【特許文献１】特開２００５−３１５０４７
【特許文献２】特開２００２−３３２７６０
【特許文献３】特開２００５−０３０１３０
【発明の開示】
【発明が解決しようとする課題】
【０００５】
上記した構成の従来の装着機構は、シリンダ錠を例にとれば、鍵違いを大きくする必要上その長さを短くすることができず、また、内端を錠箱の側板付近に配置しなければならないため、扉外面から大きく突出することになる。
【０００６】
そのため、例えば円錐台形の化粧リングを着けても見栄えが悪く、扉面付近を通行する人や物の邪魔になり、また、扉外面から突出する部分が大きくなるので、破錠や錠前の暴力的な破壊に対し抵抗し難い、等未だ改良の余地がある。
【０００７】
また、シリンダ筒或いはサムターンの直径が大きいため扉面の切欠穴も大きくなり、シリンダとサムターンを別々に取付けなければならず作業性が悪い。
【０００８】
更にまた、サムターンとシリンダ錠がクラッチを介して一体的に連結される構成であるから、警備信号錠や電気錠等、シリンダ錠やサムターンの動きにより信号を取る必要があってもこれに対応できない、等種々の不都合がある。
【０００９】
そこで、この発明は、扉外面からの突出量を小さくすることにより見栄えが良く、しかも安全性を向上させ得る装着機構を提供することを目的としている。
【課題を解決するための手段】
【００１０】
上記の目的を達成するため、請求項１に記載の発明は、シリンダ錠の内端とサムターンブロックとの間に所定の間隙を保ち、かつこれらを同軸かつ一体的に連結した錠前ユニットと、全体の形状がコ字形で、一対の平行板部を連結する部分の中央に、シリンダ錠内端のテールピースと係合するダルマ形のクラッチ孔と、サムターン軸と係合する十字形のサムターン孔とを所定の間隔で連設してなるカプラーを形成した作動アームとを有し、上記カプラーをシリンダ錠の内端とサムターンブロックの間の間隙部に挿入し、一対の平行板部をシリンダ錠の外筒の母線に沿わせる態様で、作動アームをシリンダ錠の外筒内端部に、その中心軸線の回りを回動可能に装着し、一方、錠箱内に上記作動アームの先端部と係合する切欠を形成した錠止機構制御筒を、錠箱の側板に垂直な中心軸線回りを回動可能に配設し、他方、シリンダ錠を先にして、扉内面、上記デッドボルト制御筒の内筒部、錠箱及び扉外面を貫通する態様で、錠前ユニットに扉を貫通させると共に錠前ユニットをその軸線方向において拘束し、扉外面に少し突出したシリンダ錠の外端部に化粧リングを装着したことを特徴とする。
【００１１】
また、請求項２に記載の発明は、シリンダ錠の内端とサムターンブロックとの間に所定の間隙を保ち、かつこれらを同軸かつ一体的に連結した錠前ユニットと、全体の形状がコ字形で、一対の平行板部を連結する部分の中央に、シリンダ錠内端のテールピースと係合するダルマ形のクラッチ孔を形成したシリンダアームと、全体の形状がコ字形で、上記シリンダアームの平行板部の外側に重合できる間隔を保つ一対の平行板部を有し、これら一対の平行板部を連結する部分の中央に、サムターン軸と係合する十字形のサムターン孔を形成したサムターンアームとを有し、上記クラッチ孔及びサムターン孔を、所定の間隙を保って、シリンダ錠の内端とサムターンブロックの間の間隙部に挿入し、一対の平行板部を相対回動可能に、かつ、シリンダ錠の外筒の母線に沿わせた状態で、これらシリンダアーム及びサムターンアームをシリンダ錠の外筒内端部に、その中心軸線の回りを回動可能に装着し、一方、錠箱内に上記シリンダアームの先端部と係合する切欠を形成したアイドル制御筒を、このアイドル制御筒の外側に、上記サムターンアームの先端部と係合する切欠を形成した錠止機構制御筒を、夫々錠箱の側板に垂直な中心軸線回りを回動可能に配設し、他方、シリンダ錠を先にして、扉内面、上記デッドボルト制御筒の内筒部、錠箱及び扉外面を貫通する態様で、錠前ユニットに扉を貫通させると共に錠前ユニットをその軸線方向において拘束し、扉外面に少し突出したシリンダ錠の外端部に化粧リングを装着したことを特徴とする。
【発明の効果】
【００１２】
上記のように構成された請求項１及び２に記載の発明は、シリンダ錠のテールピース及びサムターン軸を折返してシリンダ錠の外筒に配設すると共に、シリンダ錠の外端を除いて他の部分を扉内に収納するようにしたので、シリンダ錠の扉外面における突出量をごく小さくすることができる。
【００１３】
そのため、見栄えが向上するばかりでなく、扉外面に露出する部分が小さいので、破錠に対する抵抗力が増大し、錠前としての安全性が向上する。
【００１４】
また、従来の装着機構において必要だった大径のシリンダ筒等が不要になるため、扉面における取付穴の径を小さくすることができる。
【００１５】
更にまた、シリンダ錠とサムターンブロックとを一体的に結合した状態で取扱えるので、例えば扉への装着時作業性が向上する。
【００１６】
加えて、請求項２に記載の発明による装着機構は、シリンダ錠内筒及びサムターンが相互に自由に回動できるので、例えばシリンダ錠を施解錠する合鍵の回動角度を施解錠に必要な角度より少し大きくすることにより、その回動角度の増加分を信号を得るために利用することができる、等種々の効果を奏する。
【発明を実施するための最良の形態】
【００１７】
シリンダ錠に内筒に連結されたシリンダアームと、サムターンに連結されたサムターンアームとを、全体の形状がコ字形に成形してシリンダ錠の外筒内端部に装着し、シリンダ錠の大部分を扉内の空間に収納するようにしたので、扉外面からのシリンダ錠の突出量を極小さくすることができた。
【実施例１】
【００１８】
以下、図面を参照してこの発明の実施例を説明する。
なお、説明の都合上先に請求項２に記載の発明を説明する。
【００１９】
図１において符号１は錠前ユニットを示し、この錠前ユニット１は、図２に示すシリンダ錠２とサムターンブロック３との間に所定の間隙を保って、これらを同軸かつ一体的に連結したものである。
【００２０】
なお、上記間隙を保つため、サムターンブロックの底面４に肉厚の連結リング５が一体に結合されており、この連結リング５、及びシリンダ錠２の外面の内端に突設された連結ブロック６、６を貫通する連結ピン７、７により、シリンダ錠２とサムターンブロック３とは一体的に結合され、錠前ユニット１を構成する。
【００２１】
なお、上記連結ブロック６、６は後述するアームのストッパとなっているが、このことはこの発明の必須の構成ではない。
【００２２】
また、図１及び図２において符号８は化粧リングを示し、この化粧リングについては後に説明する。
【００２３】
上記シリンダ錠２とサムターンブロック３との間には、図３に示すシリンダアーム１２と、図４に示すサムターンアーム１４とが図において上下に重合した状態で挿設されている。
【００２４】
上記シリンダアーム１２は、全体の形状がコ字形で、一対の平行板部を連結する部分の中央に、シリンダ錠内端のテールピース９（図  参照）と係合するダルマ形のクラッチ孔１１を形成した枠体であり、一方シリンダアーム１２は、全体の形状がコ字形で、上記シリンダアーム１２の平行板部の外側に重合できる間隔を保つ一対の平行板部を有し、これら一対の平行板部を連結する部分の中央に、サムターン軸と係合する十字形のサムターン孔１３を形成した枠体である。
【００２５】
上記クラッチ孔１１及びサムターン孔１３が形成されている部分は浅いカップ状になっているので、これらシリンダアーム１２及びサムターンアーム１４は前記通常のダルマと同様に、クラッチ孔１１とサムターン孔１３との間に所定の間隙が保たれ、これらに係合するテールピース９及びサムターン軸１５（図２参照）は相互に干渉しない（図示せず）。
【００２６】
上記した構成のシリンダアーム１２及びサムターンアーム１４は、図１及び図２に示すように、シリンダアーム１２（図３）の上にサムターンアーム１４（図４）を重ねるようにして、その中央部をシリンダ錠の内端とサムターンブロックの間に挿入するようにし、かつ、それらの平行板部を相対回動可能に、また、シリンダ錠の外筒の母線に沿わせた状態で、シリンダ錠の外筒内端部に、その中心軸線の回りを回動可能に装着されている。
【００２７】
上記した構成のシリンダアーム１２は、その平行板部の先端を切欠１６（図５参照）に係合させるようにして、アイドル制御筒１７に連結されている。
【００２８】
同様にして、上記サムターンアーム１４は、その一対の平行板部の先端を切欠１６、１６に係合させるようにして、錠止機構制御筒１８（図６参照）に連結されている。
【００２９】
また、上記アイドル及び錠止機構制御筒１７、１８は、夫々一方の開口端縁に形成されたフランジ部に付番しない歯車が刻設されており、アイドル制御筒１７は、その歯車が形成されていない開口端（図５で下方の開口端）を錠止機構制御筒１８の歯車が形成されている開口端（図６で上方の開口端）に挿入するようにして、相互に回動可能に嵌合している。
【００３０】
そして、上記アイドル及び錠止機構制御筒１７、１８は、相互に嵌合した状態で、図７に示すように、錠箱１９に回動可能に支承されている。
【００３１】
なお、上記シリンダーアーム１２及びサムターンアーム１４を切欠１６に係合させるには、図１に示すように連結ピン７、７を介して一体的に結合されたシリンダ錠２とサムターンブロック３よりなる錠前ユニット１を、化粧リング８を外した状態で、シリンダ錠を先にして、かつ室内側から、アイドル制御筒１７の内筒部（図７参照）に差し入れる。
【００３２】
そして、錠前ユニット１が錠箱から抜け出てしまうことを防止するため、図８に示すように、シリンダストッパー２１の係止端縁をシリンダ錠外筒のの係止溝２２（図１参照）に挿入して固定する。
【００３３】
なお、錠前ユニット１を扉の内面側から錠箱を貫通させて扉に装着したとき、扉外面に突出するシリンダ錠の前端に化粧リング８（図２参照）を装着するには、例えばシリンダ錠の前端部外周面に雄ねじを形成し、これに雌ねじを刻設した化粧リングを捩じ込む。
【００３４】
上記シリンダストッパー２１は、図９に示すように、横断面が略く字形になるように折曲された厚板材で、図９における下端縁に突設された一対の客片２３、２３を錠箱１９の側板に形成された図示しない支持穴に遊嵌させて、図８に示すように垂直な回動軸の回りを回動可能に支承されている。
【００３５】
また、シリンダーストッパー２１の上端縁は、二股に切り分けられて上記係止端縁２４と操作片２５とが形成されている。
【００３６】
一方、錠箱１９の上端部には、水平方向に延在し、フロント板２７に垂直な方向に移動可能に案内された操作板２６が配設されており、その内端に形成された第１係合切欠２７（図１０参照）は上記操作片２５と係合している。
【００３７】
そして、操作板２６の外端に形成されたＵ字形の第２係合切欠２８は、図１１に示すような固定ねじ２９、すなわち、一端にドライバの先端と係合する十字穴を形成し、フロント板２７のねじ穴と螺合する固定ねじ、の他端の溝部と係合している。
【００３８】
したがって、固定ねじ２９を錠箱内に押込んで固定シリンダストッパー２１の係止端縁２４をシリンダ錠の外筒の移動軌跡外に移動させ、錠前ユニットを錠箱１９内に押込んだ後固定ねじ２９を外側に移動させてシリンダーストッパーの係止端縁２４を係止溝２２（図１参照）に係合させれば、錠前ユニット１はその軸線方向の動きを拘束された状態で錠箱１９に確りと装着される。
【００３９】
なお、このとき、図１に示すようにサムターンブロック３に突設された係合突起３１を、図７に示すように錠箱外面の室内側に形成された凹陥部３２に係合させることにより、錠前ユニット１の回り止めを施すことができる。
【００４０】
他方、前記アイドル及び錠止機構制御筒１７、１８の歯車部は、図１２に示すように錠箱１９に装着された状態において、相互に所定の関係角度を保って、図示８に示す信号伝達歯車２１に共通に噛み合っている。
【００４１】
したがって、上記アイドル及び錠止機構制御筒１７、１８の歯車部が共通に信号伝達歯車２１と噛み合っているときには、アイドル及び錠止機構制御筒１７、１８は、信号伝達歯車２１を介して一体的に、すなわち、回動方向において相互に拘束された状態で回動する。
【００４２】
また、錠止機構制御筒１８の外筒部において半径方向に突出する駆動アーム３３（図６参照）は、図１２に示すように、デッドボルト３４の上端縁内端部に形成された従動切欠３５と係合しており、例えば駆動アーム３３が図１２で９０度の角度範囲で揺動することにより、デッドボルト３４を引っ込めて解錠したり、図１２に示すようにデッドボルト３４をフロント板２７から突出させて施錠したりする。
【００４３】
また、図示の機構では、図５及び図６に示すように、アイドル制御筒１７の歯車の方が錠止機構制御筒１８のそれよりも歯数が多くなっている。
【００４４】
そのため、例えばシリンダ錠２を合鍵で施解錠するとき、９０度迄はアイドル及び錠止機構制御筒１７、１８が一体的に回転するが、９０度を越えると、アイドル制御筒１７のみが更に回動して信号伝達歯車２１を回すことになり、信号伝達歯車２１の余分の回動を利用して、図示しない信号発生器が例えば合鍵で施解錠したことを示す信号を電気錠システムの制御装置に送給する。
【００４５】
なお、図１２に示すように、錠止機構制御筒の駆動アーム３３には思案ばね装置３６の一端がリンク結合されており、思案ばね装置の他端は制御レバー３７にリンク結合されていて、錠止機構制御筒１８の回動により制御レバー３７も揺動するが、その制御レバー３７の機能はこの発明の要旨ではないので、更に詳細な説明は省略する。
【実施例２】
【００４６】
図１３はこの請求項１に記載の発明の一実施例による装着機構の要部を示し、この装着機構は、要するに、図１乃至図１２に示す実施例１において、シリンダアーム１１及びサムターンアーム１４の平行板部を例えばスポット溶接により一体に結合し、その平行板部の先端を錠止機構制御筒１８に連結すると共に、アイドル制御筒を省略したものである。
【００４７】
この実施例は、アイドル制御筒の余分の回動を利用して信号を取ることはできないが、通常の錠止機構と同じ機能を有する上、シリンダ錠の扉外面からの突出量を小さくできる、という本願発明の目的を達成している。
【実施例３】
【００４８】
図１４はこの発明の第３の実施例を示し、この実施例は、錠前ユニット１を錠箱に固定するため、前記操作板２６を直接シリンダ錠２の係止溝２２に直接出し入れできるようにしたもので、その作用効果は実施例１に記載のものと変らないので、更に詳細な説明を省略する。
【実施例４】
【００４９】
図１５はこの発明の第４の実施例を示し、この実施例は、錠前ユニット１を錠箱に固定するため、前記固定ねじ２９（図８参照）の内端に断面円形の固定杆３８を同軸に結合し、その内端部を錠箱内に固定された支持ブロックに摺動可能に支承させると共に、その内端をシリンダ錠２に外面に形成された固定孔４１に係合可能に臨ませたものである。
【００５０】
この実施例による錠前ユニットの固定機構は、その作用効果は実施例１に記載のものと変らないので、更に詳細な説明を省略する。
【図面の簡単な説明】
【００５１】
【図１】錠前ユニットの外観斜視図。
【図２】錠前ユニットの構成部材を展開して示す外観斜視図。
【図３】シリンダアームの外観斜視図。
【図４】サムターンアームの外観斜視図。
【図５】アイドル制御筒の外観斜視図。
【図６】錠止機構制御筒の外観斜視図。
【図７】室内側から見た錠箱の外観斜視図。
【図８】側板を取り外した錠箱を室外側から見た外観斜視図。
【図９】シリンダストッパーの外観斜視図。
【図１０】操作板の外観斜視図。
【図１１】固定ねじの縦断面図。
【図１２】側板を取り外して示す錠箱の側面図。
【図１３】この発明の第２実施例を示す錠箱の外観斜視図。
【図１４】この発明の第３実施例を示す線図。
【図１５】この発明の第４実施例を示す線図。
【符号の説明】
【００５２】
１  錠前ユニット
２  シリンダ錠
３  サムターンブロック
４  底面
５  連結リング
６  連結ブロック
７  化粧リング
８  化粧リング
９  テールピース
１１  クラッチ孔
１２  シリンダアーム
１３  サムターン孔
１４  サムターンアーム
１５  サムターン軸
１６  切欠
１７  アイドル制御筒
１８  錠止機構制御筒
１９  錠箱
２１  シリンダストッパー
２２  係止溝
２４  係止端縁
２７  フロント板
２９  固定ねじ
３３  駆動アーム
３４  デッドボルト
３５  従動切欠
【図１】
2008308888.tif 000003
【図２】
2008308888.tif 000004
【図３】
2008308888.tif 000005
【図４】
2008308888.tif 000006
【図５】
2008308888.tif 000007
【図６】
2008308888.tif 000008
【図７】
2008308888.tif 000009
【図８】
2008308888.tif 000010
【図９】
2008308888.tif 000011
【図１０】
2008308888.tif 000012
【図１１】
2008308888.tif 000013
【図１２】
2008308888.tif 000014
【図１３】
2008308888.tif 000015
【図１５】
2008308888.tif 000016
【図１４】
2008308888.tif 000017